(57)【要約】【課題】複数桁のパスワードをユーザが記憶しておく必要がなく、正規のリモコンにパスワード設定手段を搭載する必要なしに、不法に操作されることを防止することができる電子機器。【解決手段】リモートコントロール信号を受信するリモコン受信部３と、受信したリモートコントロール信号を解読するＣＰＵ１と、解読されたリモートコントロール信号を記憶させる不揮発性メモリ２を有し、正規のリモコンではない他の電気機器のリモコンからのリモートコントロール信号をパスワードとして不揮発性メモリ２に登録しておき、電源起動時に、この登録されているリモートコントロール信号と、ユーザが入力したリモートコントロール信号が一致しない場合に、以後の操作を不可能とする。【選択図】　　　図１
2004023714.tif 000002
【特許請求の範囲】
【請求項１】
リモートコントロール機能を持った電子機器において、リモートコントロール信号を受信することのできるリモコン受信部と、受信したリモートコントロール信号を解読することのできるＣＰＵと、解読されたリモートコントロール信号を記憶させることのできる不揮発性メモリとを有し、正規のリモコンではないリモコンからのリモートコントロール信号を前記不揮発性メモリに登録しておき、前記ＣＰＵは、電源起動時に、前記登録されているリモートコントロール信号と、ユーザが入力したリモートコントロール信号とを比較して一致しない場合に、以後の操作を不可能とすることを特徴とする電子機器。
【請求項２】
前記前記ＣＰＵは、電源起動時に、電源コードが一旦外されたか否かを検出し、電源コードが外されたことがある場合、リモートコントロール信号の入力を要求することを特徴とする請求項１記載の電子機器。
【請求項３】
前記電子機器が、テレビジョン受像機またはビデオテープレコーダであることを特徴とする請求項１または２記載の電子機器。
【発明の詳細な説明】
【０００１】
【発明の属する技術分野】
本発明は、電子機器に係り、特に、盗難防止機能を備えたテレビ受信機、ビデオテープレコーダ等の電子機器に関する。
【０００２】
【従来の技術】
直接的な盗難防止機能ではないが、ビデオテープレコーダにおいて、磁気テープに記録した内容を保護することのできる従来技術として、例えば、特開平２−２３６８４６号公報、特開平２−１７７０４２号公報等に記載された技術が知られている。この従来技術は、磁気テープに暗証番号等を記録し、一致した暗証番号が入力されないと記録した内容を再生することができないようにしたものである。
【０００３】
一般に、従来のビデオテープレコーダは、誰にでも使えるようにするという目的のために操作性が重視されているため、たとえ盗難されたビデオテープレコーダであっても誰にでも使えるという問題を有している。前述した従来技術は、磁気テープに記録された内容の保護が目的であり、ビデオテープレコーダの操作を禁止するものではなく、ビデオテープレコーダ機器の盗難に対する保護ができないものである。
【０００４】
また、ビデオテープレコーダの操作を禁止することにより、ある程度の盗難防止機能を持たせるようにした従来技術として、例えば、特開平２−５０３３８号公報等に記載された技術が知られている。この従来技術は、装置内部に暗証番号を記憶しておき、この暗証番号の入力がない場合に操作を不可能にするというものである。しかし、この従来技術は、現在動作しているビデオテープレコーダのモードを第３者より変えられることを防ぐことを目的とするものである。
【０００５】
そして、前述の従来技術は、ユーザが設定する暗証番号を不揮発性の記憶素子に記憶しているものではないため、機器の電源コードが抜かれる等により制御マイコンにリセットが掛った場合、誰にでも操作ができてしまうものである。さらに、この従来技術は、一度暗証番号を設定するとビデオテープレコーダを操作する度に暗証番号の入力が必要となり、正規のユーザにとって非常に操作性が悪いものとなってしまうものである。
【０００６】
前述したような問題を解決することができる従来技術として、例えば、特開平７−１５３１３７号公報、特開２００１−２９６９３６号公報、特開平１１−１９１７６２号公報、特開平１０−５１８６５号公報等に記載された技術が知られている。
【０００７】
特開平７−１５３１３７号公報に記載の従来技術は、ビデオテープレコーダの正規のユーザがユーザ専用の数字、アルファベット等の記号またはビデオテープレコーダの操作釦入力の順番（以下パスワードとする）をビデオテープレコーダに登録し、そのパスワードと一致したパスワードを入力しないと以後のビデオテープレコーダの操作を不可能とすることにより、盗難防止を図ることを可能にしたものである。また、この従来技術は、前述のパスワード入力による操作可能とする動作をビデオテープレコーダの電源コードを抜いて再度挿入した場合のみ動作させるようにすることにより、操作性の低下をも防止している。
【０００８】
特開２００１−２９６９３６号公報に記載の従来技術は、金融機関におけるＣＤ端末装置に対するパスワード入力の誤操作や手間を軽減させ、パスワードの入力に秘匿性を持たせた上で、当該機関からの各種のサービスを享受できる洋にしたものである。
【０００９】
図５は特開２００１−２９６９３６号公報に記載のＣＤ端末装置とパスワード送信用のリモコンとの構成を示すブロック図である。
【００１０】
図５に示すように、パスワード送信リモコン５１３は、各ユーザが保有するカードに対応する複数のパスワードをデータとして保存する記憶部５１９と、ユーザの指示により保存されたデータを取り出し、送信データとして変調を施し、赤外光を発光あるいは電波を発信する機能５１４を備えている。また、ＣＤ端末装置５０１は、リモコン５１３から発光あるいは発信された赤外光や電波を受光・受信する機能５１１と、復調機能５１２を備え、受信したパスワードを入力データとして復元した上で、制御部５０６での認証のプロセスを踏み、所定の手続きを進めることが可能に構成されている。
【００１１】
図５に示す従来技術は、前述の構成を備えることにより、ユーザに、認証に必要なパスワード入力の誤操作や手間を軽減させ、パスワードの入力に秘匿性を持たせた上で、当該機関からの各種のサービスを享受させることができる。
【００１２】
特開平１１−１９１７６２号公報に記載の従来技術は、リモコンから入力されたパスワードを使用して、本体であるコンピュータシステムを動作可能な状態にするように制御してコンピュータを保護することを可能にしたものである。
【００１３】
図６は特開平１１−１９１７６２号公報に記載のコンピュータシステムの構成を示す図、図７は図６に示すコンピュータシステムに使用するリモコンの構成を示すブロック図である。
【００１４】
図７に示すように、リモコン装置２のＣＰＵ２１は、記憶装置２４が有する記憶媒体２４ａ内に格納された各種プログラムを読み込んでＲＡＭ２３内に設けられるメモリエリアに展開して実行し、入力装置２２から鍵情報としてのパスワードが入力されると、不揮発性メモリ２７内に記憶されたパスワードを読み込んで、入力されたパスワードとの照合を行い、一致した場合に、不揮発性メモリ２７内に格納されているＩＤデータを読み込んで赤外線送信制御部２８に出力し、光送信素子部２９を介してコンピュータシステム１に送信させる。
【００１５】
そして、図６に示すように、コンピュータシステム１は、リモコン装置２から送信されたＩＤデータが光受信素子部１９によって受信されると、不揮発性メモリ１７内に格納されたＩＤデータを読み込んで受信したＩＤデータと照合し、一致するか否かを判断する。コンピュータシステム１は、両ＩＤデータが一致しない場合、スリープ状態に移行し、一致した場合、続けて各処理を実行するための待機状態に移行する。
【００１６】
図６、図７により説明した従来技術は、前述したような動作を行うことにより、パスワードと、データ処理装置に対応した端末装置（リモコン）との双方が部外者に使用されることがなければ、コンピュータシステムとしてのデータ処理装置を他人が操作することができないので、パスワードを比較的単純なものとすることができ、かつ、端末装置の管理を厳重に行わなくても、電子機器の保護を行うことができる。
【００１７】
特開平１０−５１８６５号公報に記載の従来技術は、パスワードを設定することにより、ユーザ以外のものが不用意に操作することができないようにした映像機器及び音響機器を操作するリモートコントローラに関するものでる。
【００１８】
図８は特開平１０−５１８６５号公報に記載のリモートコントローラの動作を説明するフローチャートである。
【００１９】
映像機器及び音響機器を操作するリモートコントローラには、リモートコントローラにパスワード設定機能及び前記パスワードを記憶するマイコンが内蔵されており、図８に示すフローに示すように動作する。すなわち、まず、リモコンがパスワード設定モードに入ったか否かを判定し、ユーザが操作キーを用いてパスワードを入力すると、そのパスワードが内部に記憶されて、リモコンが待機状態となる（ステップＴ１〜Ｔ４）。次に、ユーザが、映像機器及び音響機器の操作に先立ってパスワードを入力すると、入力されたパスワードが前述で記憶したパスワードと一致しているか否かを判定し、一致した場合にリモコンの操作による信号コードを送信し、不一致であった場合、信号コードの送信を不可とする（ステップＴ５〜Ｔ７、Ｔ１１、Ｔ１２）。
【００２０】
図８により説明したように、特開平１０−５１８６５号公報に記載の従来技術は、リモートコントローラにパスワードを設定して予め記憶させておき、前記記憶されたパスワードと同じパスワードを入力されたことが認識できたときに、前記リモートコントローラからリモコンコードを送信し映像機器及び音響機器を操作することができるようにしている。
【００２１】
【発明が解決しようとする課題】
特開平７−１５３１３７号公報に記載の従来技術は、パスワードとして数字、アルファベット等の記号またはビデオテープレコーダの操作釦入力の順番をユーザが記憶していなければならないものである。しかし、パスワードは、その性質上、規則性があってはいけないため、ユーザにとって、そのようなパスワードを覚えておくことが難しいという問題点を有している。
【００２２】
特開２００１−２９６９３６号公報に記載の従来技術は、リモコンにパスワードをデータとして保存しておくため、パスワードの入力の手間を軽減することができるものであるが、パスワードを覚えにくいという不便さは前述の場合と同様である。また、この従来技術は、このリモコンが盗難にあうと、容易に不法アクセスが行われてしまうという危険性もあり、また、リモコンにパスワードを設定するために必要な表示手段と、パスワードを保存するための手段が必要になり、リモコンのコストアップも生じてしまうという問題点を有している。
【００２３】
特開平１１−１９１７６２号公報に記載の従来技術は、パスワードを比較的単純なものにすることはできるが、正規の端末装置（リモコン）を使用する以上、最低でも３〜４桁の文字または数字の入力が必要であり、パスワードの覚えずらさを完全に解決することができるものでもない（パスワードの性格上、覚えやすい文字列、数字の順序はそもそも設定すべきではない）。また、この従来技術は、特開２００１−２９６９３６号公報に記載のものと同様に、リモコンにパスワードを設定するために必要な表示手段と、パスワードを保存するための手段及び入力されたパスワードと記憶されているパスワードとの照合手段も必要になり、リモコンのコストアップが生じてしまうという問題点を有している。
【００２４】
特開平１０−５１８６５号公報に記載の従来技術は、特開平７−１５３１３７号公報に記載のものと同様に、パスワードとして数字、アルファベット等の記号をユーザが記憶していなければならず、パスワードを覚ることが難しいという不便さがあ、また、特開２００１−２９６９３６号公報に記載のものと同様に、リモコンにパスワードを設定するために必要な表示手段と、パスワードを保存するための手段が必要になり、リモコンのコストアップが生じてしまうという問題点を有している。
【００２５】
本発明の目的は、前述した従来技術の問題点を解決し、複数桁のパスワードをユーザが記憶しておく必要がなく、ユーザにとってパスワードが覚えにくいという不便さを改善することができ、正規のリモコンにパスワード設定手段（パスワード設定に必要な記憶装置、表示装置等）を搭載する必要なしに、不法に操作されることを防止することができる電子機器を提供することにある。
【００２６】
【課題を解決するための手段】
本発明によれば前記目的は、リモートコントロール機能を持った電子機器において、リモートコントロール信号を受信することのできるリモコン受信部と、受信したリモートコントロール信号を解読することのできるＣＰＵと、解読されたリモートコントロール信号を記憶させることのできる不揮発性メモリとを有し、正規のリモコンではないリモコンからのリモートコントロール信号を前記不揮発性メモリに登録しておき、前記ＣＰＵが、電源起動時に、前記登録されているリモートコントロール信号と、ユーザが入力したリモートコントロール信号とを比較して一致しない場合に、以後の操作を不可能とすることにより達成される。
【００２７】
また、前記目的は、前記ＣＰＵが、電源起動時に、電源コードが一旦外されたか否かを検出し、電源コードが外されたことがある場合、リモートコントロール信号の入力を要求することにより達成される。
【００２８】
【発明の実施形態】
以下、本発明による電子機器の実施形態を図面により詳細に説明する。
【００２９】
図１は本発明が適用されたテレビジョン受像機の一実施形態の主要部の構成を示すブロック図である。図１において、１はＣＰＵ（マイクロコンピュータ）、２は不揮発性メモリ、３はリモコン受信部、４は表示手段、５はリセット回路、６はバックアップ回路、７は電源回路、８は電源コード、９はリモートコントロールユニット（以下、リモコンという）である。
【００３０】
本発明の実施形態によるテレビジョン受像機は、図１に示すように、受信したリモコン９からのリモートコントロール信号を受信するリモコン受信部３と、受信したコントロール信号の解読や不揮発性メモリ２との間のデータの送受信、表示手段４のコントロール、その他テレビジョン受像機全般のコントロールを行うＣＰＵ１と、ＣＰＵ１で解読されたリモートコントロール信号やその他テレビジョン受像機全般で使用するデータを記憶しておく不揮発性メモリ２と、盗難防止機能に関わる情報を表示する表示手段４と、ＣＰＵ１の電源電圧の低下を検出するリセット回路５と、電源コードが抜かれた状態であっても前記ＣＰＵ１にある程度の時間電源を供給するためのバックアップ回路６と、ＣＰＵ１とテレビジョン受像機全体とに電源を供給する電源回路７と、電源コード８とを備えて構成されている。
【００３１】
図２はユーザがテレビジョン受像機を購入した場合のパスワードの登録手順にを説明するフローチャート、図３はリモコン信号をパスワードとして登録する場合の登録方法の例について説明する図、図４は電源投入時における処理動作を説明するフローチャートであり、次に、これらの図面を参照して、本発明の実施形態での動作を説明する。
【００３２】
まず、図２に示すフローを参照して、ユーザがテレビジョン受像機を購入した場合のパスワードの登録について説明する。
【００３３】
（１）テレビジョン受像機を購入した直後の状態ではパスワードが未だ登録されていないため、パスワードを入力しなくても操作が可能である。そして、電源が投入されると、ＣＰＵ１は、パスワードが未登録であることを判定して、表示手段４にオンスクリーンディスプレイ等により、パスワードの入力要求を行う（ステップＳ２１〜Ｓ２３）。
【００３４】
（２）ユーザがリモコン９から入力したパスワードの信号がリモコン受信部３により受信されてパスワードとしてＣＰＵ１に取り込まれる。このとき、使用されるリモコン９は、テレビジョン受像機に付属している正規のリモコンではなく、ユーザが持っている別の電気製品（ビデオ、エアコン等）のリモコンを使用する。この理由は、「別の電気製品のリモコンからのコード」という要素をパスワードの大きな要素として使用するためである。本発明の実施形態で使用するパスワードは、前述したように「別の電気製品のリモコンからのコード」という要素がパスワードとなっているため、別の電気製品のリモコンの任意の１つのボタンの入力で充分である。逆に、パスワードとして、複数の数字、記号等を使用するようにすると、パスワードが覚えにくいという問題点を解決することができないことになる（ステップＳ２４）。
【００３５】
（３）ＣＰＵ１は、取り込んだパスワードがこのシステムで決められている正規のリモコン（別の電気製品のリモコン）からのものであるか否かをチェックし、正規のリモコンからのものでない場合、ステップＳ２３からの処理に戻ってパスワードの再登録を促す（ステップＳ２５）。
【００３６】
（４）ステップＳ２５のチェックで、取り込んだパスワードがこのシステムで決められている正規のリモコン（別の電気製品のリモコン）からのものであった場合、ＣＰＵ１は、取り込んだパスワードを不揮発性メモリ２に記憶させることによりパスワードの登録を完了させる。その後、テレビジョン受像機は、通常の動作が可能となる（ステップＳ２６）。
【００３７】
前述したように、本発明の実施形態は、パスワードとして使用するリモコン信号が別の電気製品のリモコンコードであるため、送信フォーマットが不特定なものとなる。そのため、本発明の実施形態は、リモコン信号波形をそのままデータとして取り込むこととしている。次に、図３を参照して、別の電気製品のリモコン信号をパスワードとして登録する場合の登録方法の例について説明する。
【００３８】
本発明の実施形態は、リモコンから送信される信号波形を一定周期でサンプリングし、その波形パターンをパスワードとして登録するものである。すなわち、リモコン信号波形が図３の最上段に示すような信号パターンの形状を有しているものとする。このようなリモコン信号波形を、その下段に示すようなサンプリング信号でサンプリングし、波形の閾値が“Ｈｉ”のとき“１”、“Ｌｏｗ”のとき“０”とすると、サンプリングデータとして、その下段に示すようなデータ列を得ることができる。このデータ列を８ビットずつに区切って、数値化（１６進数）すると、“１Ｅ　３Ｆ　８Ｆ　１Ｃ　３８　７１　ＦＦ　ＦＦ　０Ｆ　Ｃ３　Ｆ１　Ｅ３　Ｆ８”となる。本発明の実施形態は、これをパスワードとして不揮発性メモリ２に登録して使用する。
【００３９】
次に、前述したようなパスワードを不揮発性メモリ２に登録した後における電源投入時の処理動作を図４に示すフローを参照して説明する。
【００４０】
（１）まず、電源が投入されると、ＣＰＵ１は、電源コード８が電源供給用のコンセントから抜かれ再度挿入された後に電源が投入されたのか否かを判定する。電源コードが抜かれたたか否か検出は、次のようにして行うことができる。すなわち、テレビジョン受像機の移動等により電源コード８が抜かれた場合、電源回路７より供給される制御マイコンの電源電圧の低下を検出するリセット回路５が動作してＣＰＵ１にリセット信号が加えられる。また、テレビジョン受像機の電源コード８が抜かれた状態であってもＣＰＵ１にある程度の時間電源を供給するためにバックアップ回路６が備えられていることがほとんどであるが、この場合、電源コード８が抜かれている間ＣＰＵ１を低消費電力モードにするために停電検出機能がＣＰＵ１に備わっている。従って、ＣＰＵ１は、いずれの場合であっても電源コードが抜かれたか否かを検出することができる（ステップＳ４１、Ｓ４２）。
【００４１】
（２）ステップＳ４２の判定で、電源コード８が抜かれ再度挿入された後に電源が投入されたものではないと判定された場合、テレビジョン受像機は、通常動作に移行する（ステップＳ４９）。
【００４２】
（３）テップＳ４２の判定で、電源コード８が抜かれ再度挿入された後に電源が投入されたものであると判定された場合、ＣＰＵ１は、不揮発性メモリ２から登録済みのパスワードを読み込む（ステップＳ４３）。
【００４３】
（４）次に、ユーザがテレビジョン受像機の操作をするためリモコンまたは操作部より操作釦の入力を行うと、ＣＰＵ１は、操作を受け付ける前に表示手段４を介して、オンスクリーンディスプレイ等によるパスワードの入力要求を行う（ステップＳ４４、Ｓ４５）。
【００４４】
（５）パスワードの入力要求に対して、ユーザが送信したパスワードを受信すると、ＣＰＵ１は、入力されたパスワードと不揮発性メモリ２から読み込まれた登録済みのパスワードの比較を行う。パスワードの比較は、入力されたリモコン信号を図３により説明した登録時の方法と同様にサンプリングし、数値化したものを登録済みのパスワードと比較することにより行うことができる（ステップＳ４６、Ｓ４７）。
【００４５】
（６）ステップＳ４７の比較で、２つのパスワードが一致した場合、オンスクリーンディスプレイを消してパスワードの入力要求を停止すると共に、テレビジョン受像機の以後の操作の受け付けを可能として、テレビジョン受像機を通常動作に移行させる（ステップＳ４８、Ｓ４９）。
【００４６】
（７）ステップＳ４７の比較で、２つのパスワードが一致しない場合、ステップＳ４５からの処理に戻って再度パスワードの入力要求を行い、一致するまで、テレビジョン受像機の操作を禁止する。
【００４７】
本発明の実施形態は、前述したように、一旦、電源コード８が抜かれた場合、正しいパスワードが入力されない限り操作が不可能となり、しかも、パスワードとして、他の電気製品のリモコンのコードが使用されているので、たとえ盗んだとしても、使用することが不可能となり、テレビジョン受像機の盗難の防止を実現することができる。
【００４８】
前述した本発明の実施形態は、電源コード８が抜かれたか否かを検出する代わりに、電池の交換が行われたか否かを電源が一旦なくなること（電源電圧が０になること）等により検出するようにすれば、電池により駆動される機器に対しても適用することができる。
【００４９】
前述した図４に示すフローにおいて、電源の投入後、直ちにパスワードの入力を要求するようようにしてもよい。すなわち、ステップＳ４１の処理の後ステップＳ４５からの処理を行うようにしてもよい。この場合、ユーザの操作が１つ余分になるが、ＣＰＵ１が電源コード８が抜かれた否かの判定を行う必要がなくなり、ＣＰＵの処理負荷を低減することができ、しかも、前述と同様な効果をも得ることができる。また、この場合、電源として商用電源を使用せずに、電池により駆動される電子機器に対しても容易に適用することができる。
【００５０】
前述した本発明の実施形態は、本発明をテレビジョン受像機に適用したものとして説明したが、本発明は、ビデオテープレコーダ、ＤＶＤレコーダ、カセットレコーダ、ＭＤレコーダ等の各種の電子機器に適用することができる。
【００５１】
【発明の効果】
以上に説明したように本発明によれば、正規のリモコンではないリモコンからのリモートコントロール信号をパスワードとして登録するため、複数桁のパスワードをユーザが記憶しておく必要がなく、ユーザにとってパスワードが覚えにくいという不便さを改善することができる。さらに、本発明によれば、正規のリモコンではないリモコンからのリモートコントロール信号をパスワードとして利用するため、電子機器とそので機器に付属している正規のリモコンが同時に盗難にあっても、盗難者がパスワードを解除することができないため、電子機器を不法に操作されることを防止することができ、かつ、正規のリモコンにパスワード設定手段（パスワード設定に必要な記憶装置、表示装置等）を搭載する必要がなく、電子機器全体を低コストで実現することができる。
【図面の簡単な説明】
【図１】本発明が適用されたテレビジョン受像機の一実施形態の主要部の構成を示すブロック図である。
【図２】ユーザがテレビジョン受像機を購入した場合のパスワードの登録手順にを説明するフローチャートである。
【図３】リモコン信号をパスワードとして登録する場合の登録方法の例について説明する図である。
【図４】電源投入時における処理動作を説明するフローチャートである。
【図５】特開２００１−２９６９３６号公報に記載のＣＤ端末装置とパスワード送信用のリモコンとの構成を示すブロック図である。
【図６】特開平１１−１９１７６２号公報に記載のコンピュータシステムの構成を示す図である。
【図７】図６に示すコンピュータシステムに使用するリモコンの構成を示すブロック図である。
【図８】特開平１０−５１８６５号公報に記載のリモートコントローラの動作を説明するフローチャートである。
【符号の説明】
１　ＣＰＵ（マイクロコンピュータ）
２　不揮発性メモリ
３　リモコン受信部
４　表示手段
５　リセット回路
６　バックアップ回路
７　電源回路
８　電源コード
９　リモートコントロールユニット
【図１】
2004023714.tif 000003
【図２】
2004023714.tif 000004
【図３】
2004023714.tif 000005
【図４】
2004023714.tif 000006
【図５】
2004023714.tif 000007
【図６】
2004023714.tif 000008
【図７】
2004023714.tif 000009
【図８】
2004023714.tif 000010